(57)【要約】【課題】食べこぼしの染みが着衣に付くのを二重に防止し、また、エプロンを簡単に収容、かつ、携帯することができる乳幼児用のエプロンを提供する。【解決手段】柔軟なエプロン本体１の上胸当て部６の上方の内側にカバー２を吊り持させている。カバー２は、エプロン本体１が収容可能な袋１５をその下方に形成するとともに口部１６をカバー２の下端に設け、かつその上方に前記上胸当て部６の上方と同じ形状に形成した吊り部１７を形成し、吊り部１７と上胸当て部６を重ね合わせて縫合している。カバー２の内側には模様２１が設けられており、袋１５の内側を外側に引っ繰り返すことによって形成された模様付きの携帯用の袋体２２の中にエプロン本体１が収容可能になっている。【選択図】図１
0003139138.tif 000002
【実用新案登録請求の範囲】
【請求項１】
柔軟なエプロン本体の胸当て部の内側にカバーを設けている乳幼児用のエプロン。
【請求項２】
前記カバーが、エプロン本体が収容可能な袋状に形成されている請求項１記載の乳幼児用のエプロン。
【請求項３】
前記袋状のカバーの底部側を前記胸当て部に吊り持している請求項２記載の乳幼児用のエプロン。
【請求項４】
前記袋状のカバーの底部側を前記胸当て部の上端に縫合している請求項２記載の乳幼児用のエプロン。
【請求項５】
前記袋状のカバーの内側の面に摸様が施されている請求項１記載の乳幼児用のエプロン。
【請求項６】
前記袋状のカバーの底部側が、その上端左右が外側に向かって下り傾斜している縫合部と、この縫合部の先端同士の間が凹湾状に形成されている縫合部とで形成され、これらの縫合部を前記胸当て部に縫合している請求項３または４記載の乳幼児用のエプロン。
【請求項７】
前記エプロン本体が、上端中央に凹湾状の前首回り部を形成し、その前首回り部の両端に外側に向かって下り傾斜している縫合部を形成している胸当て部と、その胸当て部の縫合部によって連結される肩当て部と、その肩当て部と胸当て部の側縁の上下方向の中間部との間を連結する紐とからなり、前記袋状のカバーの底部側の上端が、この胸当て部の前首回り部と縫合部の上部と同形状に形成されてなり、この胸当て部と袋状のカバーの底部側のそれぞれの上端同士が縫合されている請求項２記載の乳幼児用のエプロン。
【考案の詳細な説明】
【技術分野】
【０００１】
本考案は主に食事時に着用する乳幼児用のエプロンに関する。
【背景技術】
【０００２】
乳幼児のエプロンは食べこぼしにより、エプロンを通して着衣が染み付くことがある。そのため、エプロンを防水処理する、あるいはエプロンの裏面をビニルコートするなどの方法が採用されている。しかし、その防水効果は度重なる洗濯によって、次第に劣化する。またビニルコートされたものは夏場には暑く、使い心地が悪い。また、外出先で汚れたエプロンを収容するため、たとえば小袋等を用意する手数がある。
【考案の開示】
【考案が解決しようとする課題】
【０００３】
本考案は、食べこぼしの染みが着衣に付くのを二重に防止し、また、折り畳んで簡単に携帯することができる乳幼児用のエプロンを提供することを技術的課題とする。
【課題を解決するための手段】
【０００４】
本考案の乳幼児用のエプロン（請求項１）は、柔軟なエプロン本体の胸当て部の内側にカバーを設けていることを特徴としている。
【０００５】
前記カバーは、エプロン本体が収容可能な袋状に形成されているのが好ましい（請求項２）。
【０００６】
このような袋状のカバーは、底部側を前記胸当て部に吊り持させているのが好ましい（請求項３）。
【０００７】
また、この袋状のカバーは、底部側を前記胸当て部の上端に縫合させているのがさらに好ましい（請求項４）。
【０００８】
前記袋状のカバーは、内側の面に摸様が施されているのが好ましい（請求項５）。
【０００９】
前記袋状のカバーの底部側は、その上端左右が外側に向かって下り傾斜している縫合部と、この縫合部の先端同士の間が凹湾状に形成されている縫合部とで形成され、これらの縫合部を前記胸当て部に縫合しているのが好ましい（請求項６）。
【００１０】
前記エプロン本体が、上端中央に凹湾状の前首回り部を形成し、その前首回り部の両端に外側に向かって下り傾斜している縫合部を形成している胸当て部と、その胸当て部の縫合部によって連結される肩当て部と、その肩当て部と胸当て部の側縁の上下方向の中間部との間を連結する紐とからなり、前記袋状のカバーの底部側の上端が、この胸当て部の前首回り部と縫合部の上部と同形状に形成されてなり、この胸当て部と袋状のカバーの底部側のそれぞれの上端同士が縫合されているのが好ましい（請求項７）。
【考案の効果】
【００１１】
本発明の乳幼児用のエプロン（請求項１）は、エプロンの胸当て部の内側にカバーを設けているので、胸当て部に付着した食べこぼしはカバーによって着衣の汚損が二重に防止される。着用状態のエプロンのカバーは、胸当て部の裏側に配置され、表側には外出しないので、煩雑さがない。
【００１２】
前記カバーがエプロンが収容可能な袋状に形成されている場合（請求項２）、エプロンと袋状のカバーは一体になっているので、エプロンを収容するための小袋をわざわざ用意する必要はない。
【００１３】
前記袋状のカバーの底部側を胸当て部に吊り持している場合（請求項３）、カバーはその底部が胸当て部と一体になっているので、袋状のカバーの内側を外側にひっくり返すことによって形成される袋の底部の方には胸当て部が一体状態で収容される。したがって、この袋の底部には袋状のカバーをひっくり返すだけで自然に胸当て部が収容されるので、エプロン本体を袋の底に押し込む必要がなく、エプロンは迅速に袋の中に収容させること
ができる。
【００１４】
また、この袋状のカバーの底部側を前記胸当て部の上端に吊り持させている場合（請求項４）、胸当て部の上部は袋状のカバーによって、厚みが増す。したがって胸当て部の上部に付いた食べこぼしの染みが着衣に付くのは防止される。
【００１５】
前記袋状のカバーの内側面に摸様が施されている場合（請求項５）、この模様はカバーの内側にあるので、カバーの使用状態では汚損が防止される。他方、カバーを裏返して袋にしたとき、模様は表出するので、袋としての使用状態では装飾効果がある。
【００１６】
前記袋状のカバーの底部側が、その上端左右が外側に向かって下り傾斜している縫合部と、この縫合部の先端同士の間が凹湾状に形成されている縫合部とで形成され、これらの縫合部を前記胸当て部に縫合している場合（請求項６）、これらの縫合部は二つの山が連続した形状になっているので、袋状のカバーの底部は胸当て部の外側へ反転するのが防止される。
【００１７】
前記エプロン本体が、上端中央に凹湾状の前首回り部とその前首回り部の両端に外側に向かって下り傾斜している縫合部とを形成している胸当て部と、その胸当て部の縫合部によって連結される肩当て部と、その肩当て部と胸当て部の側縁の上下方向の中間部との間を連結する紐とからなり、前記袋状のカバーの底部側の上端が、この胸当て部の前首回り部と縫合部の上部の形状と同形状に形成されてなり、この胸当て部と袋状のカバーの底部側のそれぞれの上端同士が縫合されている場合（請求項７）、袋状のカバーは胸当て部の形状を保持する張り作用がある。また、胸当て部の上端中央の前首回り部は袋状のカバーと、また、その両側は袋状のカバー及び肩当て部とそれぞれが縫合しているので、これらの縫合部は胸当て部の形状を保持する張り作用がある。したがって胸当て部の上部は形状が保持されるので、エプロン本体の型崩れを防止する。
【考案を実施するための最良の形態】
【００１８】
つぎに図面を参照しながら本考案の乳幼児用のエプロン（以下、エプロンと称す。）の実施形態を説明する。図１はエプロンの一部を切り欠いた背面図、図２は図１の使用状態における側面図、図３は図１の袋状のカバーを前中表から外表にひっくり返した状態の斜視図、図４は携帯用の袋体を示す斜視図、図５はその他の実施形態の要部背面図である。
【００１９】
図１のエプロンは、エプロン本体１と、そのエプロン本体の前面の裏側に吊り持される扁平状のカバー２とから成る。これらはいずれもが柔軟な素材によって形成されていると共に、防水処理または撥水処理が施されている。これらの処理は生地の表裏面に施こしておくのが好ましい。しかし、裏面だけに施されているものであってもよい。さらにエプロン本体１に防水処理がされていなくてもよい。
【００２０】
さらに詳しくは、図１に示すように、エプロン本体１は胸当て部３と、胸当て部の上部の両側に連結されている左右一対の肩当て部４と、胸当て部３と肩当て部４をつなぐ紐５とからなっている。
図１に示すように、この胸当て部３は、略台形状の上胸当て部６と、この上胸当て部の下端の幅と同じ幅の矩形状の下胸当て部７とからなっている。上胸当て部６の上端は凹湾状の前首回り部８が形成されている。また、この前首回り部８の両端はこれより下方に向かって略ハの字状に広がっている側縁９が形成されている。この側縁の上部は前記の肩当て部４を縫合するための縫合部１０である。下胸当て部７の裏面の下部には、図１に示すようにポケット１１が設けられており、図２に示すように、ポケット１１は食べこぼし等の受け止め用ポケットして使用する場合は、下胸当て部７の表面側へひっくり返す。また、その必要がない場合には、胸当て部３を通した染みなどが着衣に付くのを防止する。
【００２１】
図２に示すように、前記の肩当て部４は着用者の肩の前後を覆うものである。肩当て部４の前側の下端縁４ａは外向きに下り傾斜して形成されており、図１に示すように、前記上胸当て部６の縫合部１０に縫合されている。また、後側の内側端には面ファスナー１２が設けられていて、左右の肩当て部４同士を着脱自在にしている。図１及び図２に示すように、面ファスナー１２が接着している状態の肩当て部の内周は後首回り部１３を形成している。
【００２２】
図２に示すように、前記紐５は、扁平に形成されており、上胸当て部６の側縁の中間部と肩当て部４の後側の外側縁の下端とを連結しており、それらの間には腕通し部が１４が形成されている。なお、紐５をつけない状態では、胸当て部３と左右の肩当て部４は平坦なシート状である。
【００２３】
図１に示すように、カバー２は、丈が上胸当て部６の丈と同じくらいで、かつ、幅が前首回り部８の幅よりも幅広になっている。また、上胸当て部６の上部に吊るした状態において、上胸当て部６の裏面側の大部分を覆う大きさとなっている。
カバー２は、その下部にエプロン本体１が収容可能な袋１５を形成するとともに口部１６をカバー２の下端に設け、その袋１５の上部に上胸当て部６の縫合部１０の上部に重ね合わせて縫合する吊り部１７を形成している。
【００２４】
さらに詳しくは、カバー２は胸当て部３の生地と同じ柔軟な生地を中表に重ね合わせて、その下部をコ字状に縫い糸１８で縫い合わせることにより、扁平な袋１５に形成している。これより、この袋１５の底部はカバー２の上部に形成される。また、その上部を、その上端を上胸当て部６の上端と同じ凹湾状の同じ形状に形成するとともに、その上端の両端を縫合部１０の上部と同じ傾斜角度の略ハの字状に広がる側縁に形成することにより、扁平な吊り部１７に形成している。この吊り部の上端の凹湾状の下端と袋１５の底部の下端は近接している。
【００２５】
袋１５の口部１６は２枚の生地のそれぞれに管状の紐通し部１９を設けるとともに、その紐通し部の両端に紐の通し口を設けている。紐通し部１９には環状に形成された２本の紐２０を挿通し、左右の紐通し口から出ている結び目をそれぞれ引き出し、左右の相対方向に引っ張って口部を締めつけて、閉口可能にしている。エプロンを着用する時、カバー２は口部１６を緩めて扁平状にする。なお、前記２本の紐通し部１９は、一方の近接する紐の通し口同士を縫合して連続した１本の管状の紐通し部にしてもよい。この場合、その紐通し部には環状に形成された１本の紐をその紐通し部に挿通し、他方の紐通し口から出ている結び目を引き出して紐通し部を絞りあげて、閉口可能にしている。
【００２６】
袋１５の内面には、模様２１が施されている。この模様は表出していないので、食べこぼしなどの滲みによる汚損や擦れ損が防止されている。
【００２７】
前記カバー２は図１に示すように、吊り部１７の上端及び側縁の３辺を上胸当て部６の上部の３辺、つまり前首回り部８及びその両側の縫合部１０の上部に縫合することによって、吊り持されている。そして、袋１５の底部の下端は、前述のとおり吊り部１７の上端と近接しているので、上胸当て部６の前首回り部８とはほぼ直結する。また、上胸当て部６の大部分はカバー２によって、三層構造になる。また、胸当て部３は、上胸当て部６の内側にカバーが密着するので、適度な張りがでる。したがって、胸当て部３は、食べこぼしによるシミ、匂い、液体が着衣に移行するのが二重に防止される。エプロンの防水効果が減少してきても、カバー２によって着衣を保護することができる。また、胸当て部３は、上胸当て部６によって適度な張りがでるので、形状が保持される。また、着用時によじれたりするのが防止されるので、良好な着用状態を得る。
【００２８】
袋１５は、この底部１５ａの下端が前首回り部８にほぼ直結しているので、図３に示すように、袋１５を外表にひっくり返して模様２１を外出させたとき、この携帯用の袋体２２の底部１５ａには上胸当て部６の上端、また前首回り部８が自然に収納される。また、袋１５は胸当て部３の総丈の半分くらいの丈なので、携帯用の袋体２２にはエプロン本体１の半分くらいが、この操作の段階で自然に収容される。そのため、携帯用の袋体２２の中には残りのエプロン本体１の収容が迅速に行える。
【００２９】
図４に示すように、エプロン本体１を袋１５に収容した後、口部１６を紐２０によって閉じることで、エプロン本体１がコンパクトに収容される。また、この携帯用の袋体２２に収容されたエプロン本体１は水気または湿気があっても、外部に漏れるのが防止される。模様２１及び携帯用の袋体２２の表面は、カバーの状態においては、表出しないので、汚損が防止されている。
【００３０】
なお、前記の袋１５の丈は、外表に引っ繰り返し易い適当な長さになっているのが、好ましいが、この丈よりも長くてもよいし短くてもよい。しかし、短くする場合、袋の中にエプロン本体１が収容可能にしておく。また、前記の上胸当て部６、肩当て部４そしてカバー２は一緒に縫合されているが、図１に示すように、この縫合部と、上胸当て部６及び吊り部１７の縫合部とはそれぞれバイヤステープ２３で包まれている。また、エプロン本体の周縁もバイヤステープ２３で包まれている。前記紐５はこのバイヤステープを延長したものであってもよい。
【００３１】
その他の実施形態として、図５に示すように図２の袋１５の口部と底部を上下逆転させている。口部は袋１５の上部にスリット状の口部３０を形成している。スリット状の口３０は煩雑さがないし、また、袋部１５が扁平になるので、好ましい。しかし、このスリット口３０に天蓋を設けて、口部３０を閉じるようにしてもよい。この実施形態の袋１５は前記実施形態のように引っ繰り返してエプロン本体１を袋１５に収容することもできるし、ひっくり返さないでエプロン本体１を収容することもできる。前者の場合は、模様は袋の内側に設けているのが好ましい。また、後者の場合、模様は袋の外側に設けているのが好ましい。
その他、上記スリット口を二点鎖線で示すように、袋の真ん中に設けたものでもよい。この場合、袋１５はひっくり返して使用するので、模様は袋１５の中に設けているのが好ましい。
【図面の簡単な説明】
【００３２】
【図１】本考案のエプロンの一部を切り欠いた背面図である。
【図２】図１の正面図である。
【図３】図１のカバーを中表から外表にひっくり返した斜視図である。
【図４】エプロンの収納状態を示す斜視図である。
【図５】その他の実施形態の要部背面図である。
【符号の説明】
【００３３】
１  エプロン本体
２  カバー
３  胸当て部
４  肩当て部
４ａ  前側の下端縁
５  紐
６  上胸当て部
７  下胸当て部
８  前首回り部
９  側縁
１０  縫合部
１１  ポケット
１２  面ファスナー
１３  後首回り部
１４  腕通し部
１５  袋
１５ａ  袋の底部
１６  口部
１７  吊り部
１８  縫い糸
１９  紐通し部
２０  紐
２１  模様
２２  携帯用の袋体
【図１】
0003139138.tif 000003
【図２】
0003139138.tif 000004
【図３】
0003139138.tif 000005
【図４】
0003139138.tif 000006
【図５】
0003139138.tif 000007